(57)【要約】【課題】底壁の面積比に対して深底の容器を構成することができ、しかも折り畳んだ状態では略底壁の大きさに全てコンパクトに収めることができるとともに、上面が開放した容器を構成することができる折り畳みコンテナを提供する。【解決手段】折り畳みコンテナは、底壁１の各辺に起倒自在に連結された対向する一対の側壁２ａ、２ｂと、対向する他の一対の側壁２ｃ、２ｄとで構成する。一対の側壁２ａ、２ｂを底壁１の上面に対して順に重ねて折り畳み、さらにその上に他の一対の側壁２ｃ、２ｄを順に重ねて折り畳むように成っている。一対の側壁２ａ、２ｂの上端両側にはそれぞれ隣接する他の一対の側壁２ｃ、２ｄ間を連結するラッチ３を備える。一対の側壁２ａ、２ｂの上端部に備えたラッチ３を他の一対の側壁２ｃ、２ｄの上端部に形成したラッチ受け４に掛けて連結して、上面を開放した容器を構成する。【選択図】　　　　図２
2004001851.tif 000002
【特許請求の範囲】
【請求項１】
平面視形状が略方形の底壁の各辺に起倒自在に連結された対向する一対の側壁と対向する他の一対の側壁を有し、各側壁を起立させて上面が開放した容器を構成するコンテナであって、一対の側壁は、その片方の側壁が底壁の上面に接するように折り畳めるように底壁に連結されるとともにその他の片方の側壁が上記折り畳んだ片方の側壁の上面に接して重ねて折り畳めるように底壁に連結され、かつ他の一対の側壁は、その片方の側壁が上記折り畳んだ一対の側壁の他の片方の側壁の上面に接して重ねて折り畳めるように底壁に連結されるとともにその他の片方の側壁が上記折り畳んだ他の一対の側壁の片方の側壁の上面に接して重ねて折り畳めるように底壁に連結されていることを特徴とする折り畳みコンテナ。
【請求項２】
一対の側壁および他の一対の側壁は、中空二重壁構造であることを特徴とする請求項１記載の折り畳みコンテナ。
【請求項３】
一対の側壁の上端隅角部に、起立させた一対の側壁を起立させた他の一対の側壁とを連結するラッチを備えたことを特徴とする請求項１または２記載の折り畳みコンテナ。
【請求項４】
底壁、一対の側壁の片方および他の片方の側壁、他の一対の側壁の片方および他の片方の側壁は、それぞれ平面視形状が略正方形であり、組み立てた状態で略立方形状を有することを特徴とする請求項１ないし３のいずれかに記載の折り畳みコンテナ。
【請求項５】
上面が開放した容器は、その上面に被せる別体の蓋体を備えており、容器に対して着脱自在であることを特徴とする請求項１ないし４のいずれかに記載の折り畳みコンテナ。
【請求項６】
一対の側壁の片方および他の片方の側壁、他の一対の側壁の片方および他の片方の側壁はそれぞれ別体に形成されており、底壁の軸止め部に対して回動自在に軸止めされていることを特徴とする請求項１ないし４のいずれかに記載の折り畳みコンテナ。
【請求項７】
各側壁を起立させて上面が開放した容器には、内容物を収納する内袋を内装してバッグインコンテナとすることを特徴とする請求項１ないし６のいずれかに記載の折り畳みコンテナ。
【発明の詳細な説明】
【０００１】
【発明の属する技術分野】
本発明は、平面視形状が略方形の底壁の各辺に起倒自在に連結された対向する一対の側壁と対向する他の一対の側壁を有し、各側壁を起立させて上面が開放した容器を構成する折り畳みコンテナに関するものである。
【０００２】
【従来の技術】
従来、物品の収納や運搬等のために使用されるコンテナであって、底壁に対して側壁が折り畳み自在であり、使用時に側壁を起立させて組み立てる構造の折り畳みコンテナは、特開平８−３１８９３９号公報に記載されている。
【０００３】
【発明が解決しようとする課題】
ところで、前掲の特開平８−３１８９３９号公報に記載されているような折り畳みコンテナは、底壁に対して側壁を折り畳むことができるものであるが、底壁は平面視形状が略長方形であって、底壁の長辺側の一対の側壁はともに底壁上面に接するように折り畳める起立幅となっていて、その起立幅も底壁の短編幅の半分までと制約を受けるところから、底壁の面積比に対して深底の容器を構成することができないものであった。
【０００４】
そこで、本発明は、一対の側壁を底壁の上面に対向して順に重ねて折り畳み、かつその上に他の一対の側壁を順に重ねて折り畳むように構成したことにより、底壁の面積比に対して深底の容器を構成することができ、しかも折り畳んだ状態では底壁の大きさに全てコンパクトに収めることができる折り畳みコンテナを提供することを目的とするものである。
【０００５】
【課題を解決するための手段】
上記目的を達成するための本発明の請求項１に係る折り畳みコンテナは、平面視形状が略方形の底壁の各辺に起倒自在に連結された対向する一対の側壁と対向する他の一対の側壁を有し、各側壁を起立させて上面が開放した容器を構成するコンテナであって、一対の側壁は、その片方の側壁が底壁の上面に接するように折り畳めるように底壁に連結されるとともにその他の片方の側壁が上記折り畳んだ片方の側壁の上面に接して重ねて折り畳めるように底壁に連結され、かつ他の一対の側壁は、その片方の側壁が上記折り畳んだ一対の側壁の他の片方の側壁の上面に接して重ねて折り畳めるように底壁に連結されるとともにその他の片方の側壁が上記折り畳んだ他の一対の側壁の片方の側壁の上面に接して重ねて折り畳めるように底壁に連結されていることを特徴とするものである。
【０００６】
また、本発明の請求項２に係る折り畳みコンテナは、請求項１記載の折り畳みコンテナにおいて、一対の側壁および他の一対の側壁は、中空二重壁構造であることを特徴とするものである。
【０００７】
本発明の請求項３に係る折り畳みコンテナは、請求項１または２記載の折り畳みコンテナにおいて、一対の側壁の上端隅角部に、起立させた一対の側壁を起立させた他の一対の側壁とを連結するラッチを備えたことを特徴とするものである。
【０００８】
本発明の請求項４に係る折り畳みコンテナは、請求項１ないし３のいずれかに記載の折り畳みコンテナにおいて、底壁、一対の側壁の片方および他の片方の側壁、他の一対の側壁の片方および他の片方の側壁は、それぞれ平面視形状が略正方形であり、組み立てた状態で略立方体形状を有することを特徴とするものである。
【０００９】
本発明の請求項５に係る折り畳みコンテナは、請求項１ないし４のいずれかに記載の折り畳みコンテナにおいて、上面が開放した容器は、その上面に被せる別体の蓋体を備えており、容器に対して着脱自在であることを特徴とするものである。
【００１０】
本発明の請求項６に係る折り畳みコンテナは、請求項１ないし４のいずれかに記載の折り畳みコンテナにおいて、一対の側壁の片方および他の片方の側壁、他の一対の側壁の片方および他の片方の側壁はそれぞれ別体に形成されており、底壁の軸止め部に対して回動自在に軸止めされていることを特徴とするものである。
【００１１】
本発明の請求項７に係る折り畳みコンテナは、請求項１ないし６のいずれかに記載の折り畳みコンテナにおいて、各側壁を起立させて上面が開放した容器には、内容物を収納する内袋を内装してバッグインコンテナとすることを特徴とするものである。
【００１２】
【発明の実施の形態】
図１は本発明の一実施の形態に係る折り畳みコンテナの全体斜視図、図２は同上蓋体をはずした態様を示す斜視図、図３は一対の側壁を折り畳んで態様を示す斜視図、図４は図３の状態から他の一対の側壁を折り畳んだ態様を示す斜視図。図５は底壁の斜視図、図６は容器に内袋を内装してバッグインコンテナとする態様を示す斜視図である。
【００１３】
図示の折り畳みコンテナは、底壁１と、その四辺にそれぞれ軸止め構造により起倒自在に連結された４つの側壁、すなわち対向する一対の側壁２ａ、２ｂ、対向する他の一対の側壁２ｃ、２ｄとで構成されている。
【００１４】
折り畳みコンテナを構成する底壁１はその平面視形状が略正方形であり、一対の側壁２ａ、２ｂおよび他の一対の側壁２ｃ、２ｄも、それぞれ底壁１と略同形のものである。底壁１、一対の側壁２ａ、２ｂおよび他の一対の側壁２ｃ、２ｄは、熱可塑性合成樹脂（例えば、高密度ポリエチレン、ポリプロピレン、エンジニアリングプラスチック）をブロー成形してなる中空二重壁構造を成している。
【００１５】
底壁１に連結されている一対の側壁２ａ、２ｂは、底壁１の上面に対向して順に重ねて折り畳めるように、その片方の側壁２ａが底壁１に形成された軸止め部１ａに、その他の片方の側壁２ｂが底壁１に形成された軸止め部１ａに、それぞれ軸止めされており、他の一対の側壁２ｃ、２ｄは、その片方の側壁２ｃが底壁１の上面に上記のように折り畳んだ一対の側壁２ａ、２ｂの片方の側壁２ｂの上に対向して重ねて折り畳めるように底壁１の軸止め部１ｃに、その他の片方の側壁２ｄが底壁１に形成された軸止め部１ｄに、それぞれ軸止めされている。すなわち、軸止め部１ａ、１ｂ、１ｃ、１ｄは、その軸止め位置が一対の側壁２ａ、２ｂおよび他の一対の側壁２ｃ、２ｄの各側壁のほぼ壁厚分だけ順に高くなるように構成されている（図３参照）。一対の側壁２ａ、２ｂおよび他方の側壁２ｃ、２ｄは、いずれもその壁厚が同じものである。
【００１６】
底壁１に対する一対の側壁２ａ、２ｂおよび他の一対の側壁２ｃ、２ｄを起倒自在に連結する構成は、前記のような軸止め構造に限らず、例えば一体の薄肉状ヒンジまたは別体に取り付けるヒンジとすることが可能である。
【００１７】
一対の側壁２ａ、２ｂの上端両側には、起立させた一対の側壁２ａ、２ｂと起立させた他の一対の側壁２ｃ、２ｄのそれぞれ隣接する側壁間を連結するラッチ３がそれぞれ備えられており、他の一対の側壁２ｃ、２ｄの上端両側には上記ラッチ３のラッチ受け４が形成されている。そして、他の一対の側壁２ｃ、２ｄを起立させ、次いで一対の側壁２ａ、２ｂを起立させて各ラッチ３を対応するラッチ受け４に掛けて、上面が開放した容器を構成するようになっている（図２参照）。
【００１８】
５は蓋体である。この蓋体５も熱可塑性合成樹脂（例えば、高密度ポリエチレン、ポリプロピレン、エンジニアリングプラスチック）をブロー成形してなる中空二重壁構造を成している。蓋体５はその左右端に止め片６をそれぞれ備えており、この止め片６は容器を組み立てた状態では一対の側壁２ａ、２ｂの係止部７に係止して蓋体５を閉じた状態に保持できるようになっている。蓋体５には口部８が開口している。
【００１９】
一対の側壁２ａ、２ｂおよび他の一対の側壁２ｃ、２ｄを起立させて組み立てた容器には、内容物を充填した内袋９を内装して、容器に被せた蓋体５の口部８からその内袋９の口部１０が突出させるようにしてある（図６参照）。
【００２０】
本発明に係る折り畳みコンテナは、図３に示すように、底壁１に対してその上面に接するように一対の側壁２ａ、２ｂの片方の側壁２ａを折り畳み、他の片方の側壁２ｂを上記片方の側壁２ａの上に重ねて折り畳む（図３参照）。次いで、上記のように折り畳んだ一対の側壁２ａ、２ｂの他の片方の側壁２ｂの上面に接するように、他の一対の側壁２ｃ、２ｄの片方の側壁２ｃを折り畳み、さらにその他の片方の側壁２ｄを重ねて折り畳めば（図４参照）、一対の側壁２ａ、２ｂおよび他の一対の側壁２ｃ、２ｄの各壁は底壁１の大きさに全てコンパクトに収めることができ、その状態は平面視形状が略正方形のブロック状に保持されたものとなる。そして、平面視形状が略正方形のブロック状に保持された状態では、その容積が組み立てた状態の略１／３となってコンパクトにまとまっている。
【００２１】
本発明に係る折り畳みコンテナは、組み立てるとその容器の形態が略立方体となる。そして、底壁１の面積比に対して深底の容器が構成され、全体に小型であっても収容容積の大きいものとなる。さらに、コンテナは略立方体の形状に形成されることにより、外方からの衝撃に対してその外力がコンテナ全体に均等に分散されるので、一対の側壁が長辺となる略直方体の形状を有するコンテナに比して強度が高く、耐久性が良好である。またさらに、略立方体の形状を有するコンテナは前後左右の区別がないため取り扱いが容易である。
【００２２】
上記実施の形態に係る折り畳みコンテナは、ブロー成形により形成した中空二重壁構造であるから、緩衝性および断熱性に優れている。なお、本発明は、図示の実施の形態に限らず、種々他の実施の形態とすることが可能である。例えば、図示の実施の形態では、底壁１と一対の側壁２ａ、２ｂおよび他の一対の側壁２ｃ、２ｄをいずれも中空二重壁構造としたが、それらは単壁構造であっても本発明の目的を達成することができる。また、底壁１と一対の側壁２ａ、２ｂおよび他の一対の側壁２ｃ、２ｄは、それらの平面視形状が必ずしも略正方形でなくてもよいことも勿論である。
【００２３】
【発明の効果】
本発明によれば、一対の側壁を底壁の上面に対向して順に重ねて折り畳み、かつその上に他の一対の側壁を順に重ねて折り畳むように構成したことにより、底壁の面積比に対して深底の容器を構成することができ、しかも折り畳んだ状態では底壁の大きさに全てコンパクトに収めることができる折り畳みコンテナが得られるものである。
【図面の簡単な説明】
【図１】本発明の一実施の形態に係る折り畳みコンテナの全体斜視図である。
【図２】同上蓋体をはずした態様を示す斜視図である。
【図３】一対の側壁を折り畳んで態様を示す斜視図である。
【図４】図３の状態から他の一対の側壁を折り畳んだ態様を示す斜視図である。
【図５】底壁の斜視図である。
【図６】容器に内袋を内装してバッグインコンテナとする態様を示す斜視図である。
【符号の説明】
１　底壁
１ａ、１ｂ、１ｃ、１ｄ　軸止め部
２ａ、２ｂ　一対の側壁
２ｃ、２ｄ　他の一対の側壁
３　ラッチ
４　ラッチ受け
５　蓋体
６　止め片
７　係止部
８　口部
９　内袋
１０　口部
【図１】
2004001851.tif 000003
【図２】
2004001851.tif 000004
【図３】
2004001851.tif 000005
【図４】
2004001851.tif 000006
【図５】
2004001851.tif 000007
【図６】
2004001851.tif 000008